(57)【要約】【課題】写り具合のよい写真の選択を、迅速に、しかも簡単かつ容易に行なうことができる。【解決手段】画像評価装置は、入力された撮影画像中の複数の画像を表示し、前記複数の画像の表情を評価する評価手段を備える。【選択図】図１
2005056175.tif 000002
【特許請求の範囲】
【請求項１】
入力された撮影画像中の複数の画像を表示し、前記複数の画像の表情を評価する評価手段を備えたことを特徴とする画像評価装置。
【請求項２】
前記評価手段は、評価を、前記複数の画像から抜き出して並べて表示することを特徴とする請求項１に記載の画像評価装置。
【請求項３】
画像の番号、判定に用いた部位、評価の少なくとも１つを表示することを特徴とする請求項１に記載の画像評価装置。
【請求項４】
前記画像の部位を選択する手段を備えることを特徴とする請求項３に記載の画像評価装置。
【請求項５】
前記評価手段は、前記評価の高い画像を選択画面に最初に配置することを特徴とする請求項１に記載の画像評価装置。
【請求項６】
画像の番号、判定に用いた部位、評価の少なくとも１つを表示することを特徴とする請求項５に記載の画像評価装置。
【請求項７】
前記評価は、数値またはランクであることを特徴とする請求項１乃至請求項５のいずれか１項に記載の画像評価装置。
【発明の詳細な説明】
【技術分野】
【０００１】
この発明は、撮影した画像の評価を行なう画像評価装置に関する。
【背景技術】
【０００２】
従来より、被写体について視覚的に識別できる画像を記録する技術として、被写体の画像を写真感光材料に記録する写真技術が知られ、この写真は電気信号などを介在させる他の画像記録技術に比較すると、解像力や粒状度において格段に優れることから、例えば写真館、イベント会場等のスタジオにおいて、記念撮影等に多く使用されている。
【０００３】
ところで、写真によって被写体を撮影すると、現像するまでの間は被写体の写り具合を知ることはできず、写り具合がわかるまでに時間がかかり、写真が気に入らなければ撮影をやり直すことになって多くの時間が無駄になるという問題がある。
【０００４】
このために、例えば、画像を写真感光材料に記録する主カメラと、主カメラの視野の少なくとも一部を視野とする画像を電気信号に変換する補助カメラと、主カメラのシャッタの開放に同期して補助カメラで得た静止画像を表示する表示手段とを備え、複数枚の写真を次々に撮影する場合にあっては写り具合のもっともよい写真を選択した後に焼付・現像を行うものがある（例えば、特許文献１、特許文献２）。
【特許文献１】特開平６−２７３８４７号公報
【特許文献２】特公平７−１１３７３３号公報
【発明の開示】
【発明が解決しようとする課題】
【０００５】
このように、複数枚の写真を次々に撮影する場合にあっては、単に複数枚の写真を並べて表示しているだけであるから、目視によって比較してどれがもっとも写り具合のよい写真かを判断することが困難である。
【０００６】
また、例えばイベント会場、テーマパーク会場等のスタジオにおいては混雑し、写真館のスタジオにおいても、七・五・三の祝い、学生の入学・卒業、成人式等の時期には特に混雑するために、写り具合のもっともよい写真の選択を迅速にすることができるようにする必要がある。
【０００７】
この発明は、かかる点に鑑みてなされたもので、写り具合のよい写真の選択を、迅速に、しかも簡単かつ容易に行なうことができる画像評価装置を提供することを目的としている。
【課題を解決するための手段】
【０００８】
前記課題を解決し、かつ目的を達成するために、この発明は、以下のように構成した。
【０００９】
請求項１に記載の発明は、入力された撮影画像中の複数の画像を表示し、前記複数の画像の表情を評価する評価手段を備えたことを特徴とする画像評価装置である。
【００１０】
請求項２に記載の発明は、前記評価手段は、評価を、前記複数の画像から抜き出して並べて表示することを特徴とする請求項１に記載の画像評価装置である。  請求項３に記載の発明は、画像の番号、判定に用いた部位、評価の少なくとも１つを表示することを特徴とする請求項１に記載の画像評価装置である。
【００１１】
請求項４に記載の発明は、前記画像の部位を選択する手段を備えることを特徴とする請求項３に記載の画像評価装置である。
【００１２】
請求項５に記載の発明は、前記評価手段は、前記評価の高い画像を選択画面に最初に配置することを特徴とする請求項１に記載の画像評価装置である。
【００１３】
請求項６に記載の発明は、画像の番号、判定に用いた部位、評価の少なくとも１つを表示することを特徴とする請求項５に記載の画像評価装置である。
【００１４】
請求項７に記載の発明は、前記評価は、数値またはランクであることを特徴とする請求項１乃至請求項５のいずれか１項に記載の画像評価装置である。
【発明の効果】
【００１５】
前記構成により、この発明は、以下のような効果を有する。
【００１６】
請求項１に記載の発明によれば、入力された撮影画像中の複数の画像を表示し、複数の画像の表情の良し悪しを評価することができる。従って、例えばユーザが写真プリントの注文画像を速く選ぶことができ、写真館、イベント会場等のスタジオでの撮影の回転率が向上し、しかもユーザの満足度も向上する。
【００１７】
請求項２に記載の発明によれば、評価を、複数の画像から抜き出して並べて表示することで、比較し易いために、複数の画像の表情の良し悪しの評価を迅速に、しかも簡単かつ容易に行なうことができる。
【００１８】
請求項３に記載の発明によれば、画像の番号、判定に用いた部位、評価の少なくとも１つを表示することで、複数の画像の表情の良し悪しの評価を間違いなく、簡単かつ確実に行なうことができる。
【００１９】
請求項４に記載の発明によれば、タッチパネル等のインターフェイスにより画像の部位を選択して、画像の表情の良し悪しを評価することができる。
【００２０】
請求項５に記載の発明によれば、評価の高い画像を選択画面に最初に配置することで、例えばユーザが写真プリントの注文画像を選択画面に着目して速く選ぶことができ、写真館、イベント会場等のスタジオでの撮影の回転率が向上し、しかもユーザの満足度も向上する。
【００２１】
請求項６に記載の発明によれば、選択画面の画像の番号、判定に用いた部位、評価の少なくとも１つを表示することで、複数の画像の表情の良し悪しの評価を間違いなく、簡単かつ確実に行なうことができる。
【００２２】
請求項７に記載の発明によれば、評価が数値またはランクであり、画像の表情の良し悪しの評価を間違いなく、簡単かつ確実に行なうことができる。
【発明を実施するための最良の形態】
【００２３】
以下、この発明の画像評価装置の実施の形態について説明するが、この発明は、この実施の形態に限定されない。また、この発明の実施の形態は、発明の最も好ましい形態を示すものであり、この発明の用語はこれに限定されない。
【００２４】
図１はこの発明の画像評価装置を適用した写真撮影システムの概略構成図、図２はモニタ画像表示を示す図である。この実施の形態の写真撮影システム１は、例えば写真館、イベント会場等のスタジオにおいて写真感光材料を用いて被写体４を撮影する際に用いるものである。
【００２５】
この写真撮影システム１は、写真フィルム、写真乾板等の写真感光材料に画像を記録する主カメラ２と、主カメラ２の視野の少なくとも一部を視野とする補助カメラ３とを備える。主カメラ２と補助カメラ３とは、被写体４に対して主カメラ２と補助カメラ３との間で大きな視差が生じないように、主カメラ２と補助カメラ３とのアングルはほぼ等しくなる。
【００２６】
主カメラ２は、シャッタ２１の開放時に写真感光材料２２に画像が記録される。補助カメラ３は、ＣＣＤのような撮像素子３１を備え、被写体４の画像を電気信号に変換する。この電気信号は主カメラ２が備えるシャッタ２１の開放に同期して取り出される。即ち、主カメラ２のシャッタ２１の開放時に写真感光材料２２に画像が記録されると同時に、補助カメラ３では同じ被写体４に関する１画面分の電気信号を取り出す。
【００２７】
補助カメラ３は、１画面分の電気信号を取り出す構成として、撮像素子３１から出力される電気信号の通るゲート部３２が設けられ、ゲート部３２は同期部３３から出力される開放信号が入力されている間に開放される。同期部３３は、主カメラ２でのシャッタ２１の開放に同期して１画面分の電気信号が通過する期間に開放信号を発生する。
【００２８】
このゲート部３２と同期部３３は、市販されている電子スチルカメラや一駒撮影が可能なビデオカメラに内蔵されたものを用いることができ、主カメラ２のシャッタ２１の開放に同期して１画面分の電気信号を取り出すことができれば補助カメラ２に用いることができる。
【００２９】
主カメラ２として用いることができる通常のカメラは、シャッタ２１の開放に同調する接点として、フラッシュ同調接点２３やモータドライブ同調接点を備え、補助カメラ３として用いる電子スチルカメラは、レリーズ用の端子を備えているから、主カメラ２に設けた接点と補助カメラ３に設けた端子とをケーブルを用いて接続すれば、シャッタ２１の開放に同期して１画面分の電気信号を取り出す構成は容易に実現することができる。なお、撮影の動作に同期して撮影するには、フラッシュ同調接点２３を記録のトリガとしてもよいし、フラッシュ２４の光を検出する素子（図示せず）の信号をトリガとしてもよい。
【００３０】
補助カメラ３により撮影された画像は、記録手段としてのディスクドライブ５０によってフレキシブルディスクに同数の画像が記録され、フレキシブルディスクに記録された画像は撮影の終了後に、制御装置５に備えられる再生手段であるディスクドライブ５１によって読み出される。また、記録手段としてのディスクドライブ５０によってハードディスクに記録し、ハードディスクに記録された画像は撮影の終了後に、制御装置５に配信して再生手段であるディスクドライブ５１によって読み出されるようにしてもよい。
【００３１】
補助カメラ３により撮影された画像は、ディスクドライブ５０に記録されると同時に表示手段としてのモニタ装置７に表示される。モニタ装置７には、カラー表示の可能なものが望ましく、通常はＣＲＴが用いられるが、液晶表示器や投影形のモニタ装置７であってもよい。モニタ装置７では、主カメラ２で撮影した画像をシャッタ２１の開放後に一定時間表示し、補助カメラ３により撮影した画像を表示する時間を一定時間に制限していることによって、主カメラ２で複数枚の写真を次々に撮影したときに、各画像を順次表示することができる。従って、モニタ装置７の画面を見れば主カメラ２で撮影した被写体４の表情をすぐに確認することができる。
【００３２】
制御装置５には操作装置６及びモニタ装置８が接続され、操作装置６の操作によって画像がモニタ装置８に表示される。制御装置５には、画像処理部５２、画面分割部５３、モニタ駆動部２９、制御部１１、ＥＥＰＲＯＭ２６を備える。主カメラ２で複数枚の写真を撮影したとき、撮影の終了後に再生手段であるディスクドライブ５１によって読み出される。即ち、ディスクドライブ５１は、記録手段であるフレキシブルディスク、或はハードディスクに記録された静止画像のうちで比較対象となる複数の静止画像を読み出す。
【００３３】
ディスクドライブ５１で読み出した画像は、制御部１１により制御される画像処理部５２、画面分割部５３、モニタ駆動部２９によってモニタ装置８に表示される。モニタ装置８には、比較モニタ手段となるモニタ部８ａ１，８ａ２、選択モニタ手段となるモニタ部８ｂを備え、モニタ部８ａ１，８ａ２，８ｂは、比較的大きな画面を有し、カラー表示の可能なものが望ましいから通常はＣＲＴを用いる。
【００３４】
また、制御部１１は画面分割部５３、モニタ駆動部２９を制御し、モニタ部８ａ１，８ａ２に表示される複数の画像の中から所望の画像のみを選択してモニタ部８ｂに表示させる。なお、制御装置５は単体の装置以外に、パソコンにビデオボードを装着し、制御用ソフトウェアをインストールしたものでもよい。モニタ装置７，８は、液晶、ＰＤＰ、有機ＥＬなど他の表示装置でもよい。
【００３５】
例えば、図２に示すように、被写体４が８種類の写真を撮影するものとすると、この場合、画面分割部５３は、比較モニタ手段となるモニタ部８ａ１，８ａ２の画面をそれぞれ等しい大きさを有した４個の領域に分割して表示する。
【００３６】
このように、比較モニタ手段であるモニタ部８ａ１，８ａ２は、再生手段により読み出された複数の静止画像を表示する。モニタ部８ａ１では、４枚の画像１〜４が１枚ずつ順に表示され、モニタ部８ａ２では、他の４枚の画像５〜８が１枚ずつ順に表示される。
【００３７】
ここにおいて、制御部１１は、比較モニタ手段であるモニタ部８ａ１，８ａ２の各領域に表示されている画像１〜８を適宜選択し、モニタ部８ａ１，８ａ２に表示させるように画面分割部５３、モニタ駆動部２９を制御する。
【００３８】
この実施の形態では、選択モニタ手段となるモニタ部８ｂが比較モニタ手段となるモニタ部８ａ１，８ａ２の間に配置され、モニタ部８ｂにより選択した静止画像を、選択前のモニタ部８ａ１，８ａ２のほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００３９】
制御部１１は、ＣＰＵ１１ａ、ＲＯＭ１１ｂ及びＲＡＭ１１ｃを有する。ＣＰＵ１１ａは、ＲＯＭ１１ｂに予め記憶されている制御するためのプログラムを読み出して、ＲＡＭ１１ｃに展開し、展開したプログラムに従って全体の制御を行う。また、ＣＰＵ１１ａは、展開したプログラムに従って、後述する撮影評価処理を始めとする各種処埋を実行する。
【００４０】
ＲＯＭ１１ｂは、半導体等の不輝発性メモリで構成されている。ＲＯＭ１１ｂは、制御プログラム、処理プログラム等の各種プログラムや、各種プログラムで参照されるデータ等を予め記億する。ＲＡＭ１１ｃは、ＣＰＵ１１ａにより実行される各種処理において、ＲＯＭ１１ｂから読み出されたプログラム及び各種データを一時的に記憶する。
【００４１】
モニタ駆動部２９は、モニタ２３を駆動して、画像処理部５２により出力されたデジタル画像データを表示させる。操作装置６は、電源スイッチ、再生スイッチ、タッチパネル等により構成され、ユーザによる操作信号をＣＰＵ１１ａに出力する。
【００４２】
ＥＥＰＲＯＭ２６は、不揮発性メモリにより構成され、各種動作に使用する調整データ等が予め記憶されている。この実施の形態において、ＥＥＰＲ０Ｍ２６は、笑顔評価基準テーブル２６１及び端正評価基準テーブル２６２を格納している。
【００４３】
図３（ａ｝は、笑顔評価基準テーブル２６１内部のデー夕格納例を示す図である。図３（ａ）に示すように、笑顔評価基準テーブル２６１は、要素領域２６１ａと、係数領域２６１ｂと、評価ポイント領域２６１ｃとにより構成されている。要素領域２６１ａは、この構成要素を表すデータ、（例えば、まゆ、目、口）を「要素」として格納する。係数領城２６１ｂは、対応する顔の構成要素の係数を表すデータ（例えば、２、５、４）を「係数」として格納する。評価ポイント領域２６１ｃは、対応する顔の構成要素の基準画像及びその評価ポイントを格納する。例えば、まゆについては、その角度により、上がっている基準画像は低い評価ポイントに対応付けられており、角度が下がるに従い、高い評価ポイントとなるように基準画像が評価ポイントと対応付けて格納されている。目については、瞳孔の開き具合により、瞳孔が閉じている基準画像は低い評価ポイントに対応付けられており、瞳孔が開くに従い、高い評価ポイントとなるように基準画像が評価ポイントと対応付けて格納されている。目が閉じた状態については、マイナスポイントとなるように基準画像が評価ポイントと対応付けて格納されている。口については、両端の角度が下がっている基準画像は低いポイントに対応付けられており、両端の角度が上がるに従い、高い評価ポイントとなるように基準画像が評価ポイントと対応付けて格納されている。
【００４４】
図３（ｂ）は、端正評価基準テーブル２６２内部のデータ格納例を示す図である。図３（ｂ）に示すように、端正評価基準テーブル２６２は、要素領域２６２ａと、係数領域２６２ｂと、評価ポイント領域２６２ｃとにより構成されている。要素領域２６２ａは、顔の構成要素を表すデータ、（例えば、顔１、顔２、まゆ・・・）を「要素」として格納する。係数領域２６２ｂは、対応する顔の構成要素の係数を表すデータ、（例えば、１、２、２・・・）を「係数」として格納する。評価ポイント領域２６２ｃは、対応する顔の構成要素の基準画像及びその評価ポイントを格納する。
【００４５】
例えば、顔の向きについては、真正面を向いているものを高い評価ポイントとし、顔が左右に向いているもの、首をかしげているものは、その度合いが大きいほど低い評価ポイントとなるように基準画像が評価ポイントと対応付けられて格納されている。まゆは、平坦な基準画像は高い評価ポイント、角度が上がっていたり下がっていたりする基準画像は、その度合いが大きいほど低い評価ポイントとなるように、基準画像が評価ポイントと対応付けて格納されている。目は、瞳孔が開いている基準画像は高い評価ポイント、瞳孔が閉じている基準画像、目が閉じている基準画像は低い評価ポイントとなるように基準画像が評価ポイントと対応付けて格納されている。口は、両端の角度が上がったり下がったりした画像ほど低い評価ポイントとなるように基準画像が評価ポイントと対応付けて格納されている。
【００４６】
次に、動作について説明する。まず、ＣＰＵ１１ａにより実行される撮影画像評価処理について図４のフローチャートを参照して説明する。
【００４７】
ＣＰＵ１１ａは、再生スイッチが押下されるのを待機し（ステップＳ１）、再生スイッチが押下されると（ステップＳ１；ＹＥＳ）、評価モードか否かを判断し（ステップＳ２）、評価モードでないと判断すると（ステップＳ２；Ｎｏ）、通常の表示処理を実行する（ステップＳ３）。即ち、ＣＰＵ１１ａは、被写体の撮影して取得した画像に画像処理を施してモニタ装置８に表示させる。
【００４８】
一方、ＣＰＵ１１ａは、ステップＳ２において、評価モードであると判断すると、撮影した複数の画像をＣＰＵ１１ａは、表示する（ステップＳ４）。このとき、表示された画像は、連写撮影を行って複数の静止画像を表示する。
【００４９】
静止画像の表示後、操作装置６の入力操作により、人物の重み付け評価（後述する笑顔評価値及び端正評価値を算出するにあたり、他の人物に対して重み付けをしてコマ画像の総合評価値を算出する）の指示が入力されると（ステップＳ５；ＹＥＳ）、ＣＰＵ１１ａは、モニタ装置８に重み付け設定画面を表示させ、操作装置６により指定された人物に対して、指定された順番及びその位置情報を取得し、指定された順番で重み付けして評価するものとして設定する（ステップＳ６）。
【００５０】
次いで、ＣＰＵ１１ａは、操作装置６により評価の開始が指示されるのを待機し、評価の開始が指示されると（ステップＳ７；ＹＥＳ）、撮影したコマ画像のそれぞれにおいて、各被撮影者（人物）の顔画像を抽出して、その位置情報を取得するとともに、各顔画像毎に笑顔評価（表情の笑顔の度合いの評価）、端正評価（表情の端正さの度合いの評価）を行う（ステップＳ８）。笑顔評価としては、ＥＥＰＲＯＭ２６に記憶されている笑顔評価基準テーブル２６１を参照して、顔画像のまゆ、瞳孔、口の各要素の形状の評価ポイントを算出し、各評価ポイントを係数により重み付けしたものを合算してそのコマ画像のその顔画像における笑顔評価値とする。まゆ、目については、左右双方について評価ポイントを算出して１／２としてもよいし、片方について評価を行うようにしてもよい。端正評価としては、ＥＥＰＲＯＭ２６に記憶されている端正評価基準テーブル２６２を参照して、顔の向き及びまゆ、瞳孔、口の各要素の形状の評価ポイントを算出し、各評価ポイントを係数により重み付けしたものを合算してその顔画像における端正評価値とする。まゆ、目については、左右双方について評価ポイントを算出して１／２としてもよいし、片方について評価を行うようにしてもよい。
【００５１】
次に、ＣＰＵ１１ａは、コマ画像のそれぞれについて、ステップＳ１０で顔画像毎に算出した笑顔評価値の平均値及び端正評価値の平均値を算出して、各コマ画像の総合笑顔評価値及び総合端正評価値とする（ステップＳ１１）ここで、ＣＰＵ１１ａは、ステップＳ８にて人物の重み付け評価が設定されている場合には、各コマ画像の総合笑顔評価値及び総合端正評価値の算出は、所定のアルゴリズムにより、指定された位置情報の位置又はその近辺の位置にある顔画像の笑顔評価値及び端正評価値を、指定された順番に基づいて重み付けして総合笑顔評価値及び総合端正評価値を算出する。
【００５２】
次に、ＣＰＵ１１ａは、コマ画像のうちの一つ、例えばコマ画像１０１を解析し、撮影した画像がカジュアルな場面か、フォーマルな画面かを判断する（ステップＳ１０）。具体的には、ＣＰＵ１１ａは、室内での撮影か屋外での撮影か、衣服が礼服か否か、または髪型がラフか否か等によりフォーマルな場面かカジュアルな場面かを判断する。当該撮影がカジュアルな場面の撮影であると判断すると（ステップＳ１０；１）、ＣＰＵ１１ａは、優先評価値を笑顔評価値として設定する（ステップＳ１１）。一方、ステップＳ１０において、当該撮影がフォーマルな場面の撮影であると判断すると（ステップＳ１０；２）、ＣＰＵ１１ａは、優先評価値をフォーマル評価値として設定する（ステップＳ１２）。
【００５３】
次に、ＣＰＵ１１ａは、各人物の顔画像毎に、コマ画像のうち最も優先評価値の高いコマ画像の顔画像を抽出し（ステップＳ１３）、抽出した各顔画像を集めて、１コマの合成画像に合成する（ステップＳ１４）。人物が一人の場合はステップＳ１３、ステップＳ１４、ステップＳ１５は省略することができる。また、例えば、顔の部位の中から高い評価のものを集めて一つの顔の表情を作成しても良い。
【００５４】
次に、ＣＰＵ１１ａは、ステップＳ１４で作成した合成画像を最高位として、各コマ画像に優先評価値の高いものから順位を設定する（ステップＳ１５）。そして、ＣＰＵ１１ａは、各コマ画像に対応する総合笑顔評価値、総合端正評価値を始めとする評価値情報を順位に従って並べてテキストファイルとして格納する評価値ファイル２１１を作成する（ステップＳ１６）。また、各コマ画像を前記順位に従って並べて１つの画像ファイルとして、評価ファイル２１１を関連付けて記録メディアに保存（記憶）させる（ステップＳ１７）。そして、ＣＰＵ１１ａは、最高位のコマ画像をモニタ装置８に表示させる（ステップＳ１８）。
【００５５】
図５は、図４のステップＳ１６で作成される評価値ファイル２１１のデータ格納例を示す図である。図５に示すように、評価値ファイル２１１は、ＮＯ領域２１１ａと、ＮＡＭＥ領域２１１ｂと、ＳＭＴＩＬＥ領域２１１ｃと、ＦＯＲＭＡＬ領域２１１ｄと、ＰＥＲＳＯＮ領域２１１ｅと、ＰＥＲＳＯＮ  ＮＯ領域２１１ｆと、ＡＲＥＡ領域２１１ｇと、ＳＭＩＬＥＰ領域２１１ｈと、ＦＯＲＭＡＬＰ領域２１１ｉとにより構成されている。
【００５６】
ＮＯ領城２１１ａは、ステップＳ１１又は１２で設定された優先評価値の順位を表すデータ（例えば、１、２・・・）を「ＮＯ」として格納する。ＮＡＭＥ領域２１１ｂは、コマ画像の名前を示すデータ（例えば、ＤＳＣ００００１．ｘｘｘ、ＤＳＣ００００２．ｘｘｘ・・・）を「ＮＡＭＥ」として格納する。ＳＭＩＬＥ領域２１１ｃは、当該コマ画像の総合笑顔評価値を表すデータ（例えば、３５、２５・・・）を「ＳＭＩＬＥ」として格納する。ＦＯＲＭＡＬ領域２１１ｄは、当該コマ画像の総合端正評価値を表すデータ（例えば、３２、３８・・・）を「ＦＯＲＭＡＬ」として格納する。ＰＥＲＳＯＮ領域２１１ｅは当該コマ画像に撮影された被撮影者（人物）の人数を表すデータ（例えば、３、３・・・）を「ＰＥＲＳＯＮ」として格納する。
【００５７】
ＰＥＲＳＯＮ  ＮＯ領域２１１ｆは、当該コマ画像に撮影された被撮影者（人物）を特定するために一意的に割り当てられたコード（例えば、００１、００２、００３、・・・）を「ＰＥＲＳＯＮ  Ｎｏ」として格納する。ＡＲＥＡ領域２１１ｇは、当該コマ画像中で対応するコードが割り当てられた被撮影者の顔画像の位置情報を示すデータ（例えば、（５０．１５０）−（２００．３００）、（１００，２００）−（６００，７００）、（２５６．３８９）−（７６９，８６４）、・・・）を「ＡＲＥＡ」として格納する。ＳＭＩＬＥＰ領域２１１ｈは、対応するＰＥＲＳＯＮ  ＮＯが割り当てられた被撮影者の笑顔評価値を示すデータ（例えば、４０、３０、３５、・・・）を「ＳＭＩＬＥＰ」として格納する。ＦＯＲＭＡＬＰ領域２１１ｉは、対応するＰＥＲＳＯＮ  ＮＯが割り当てられた被撮影者の端正評価値を示すデータ（例えば、３２、２９、３５、・・・）を「ＦＯＲＭＡＬＰ」として格納する。
【００５８】
図６は、図４のステップＳ１７において、記録メデイア２１に記憶される画像ファイルのデータ構造の一例を示す図である。図６に示すように、画像ファイルには、当該画像ファイルに対するコメントが格納されているコメント領域、各コマ画像データが格納されているコマ画像データ領域、当該画像に対応した評価値ファイルを格納する評価値ファイル領域により構成されている。各コマ画像データは、ヘッダ領域と画像情報領域を有しており、ヘッダ領域には、各コマ画像データに関する付属情報が格納されている。これら静止画を前提にしたファイルのデータ構造の例であるが、動画形式のファイルにも本発明を適用し、複数のコマの中からの画像評価を容易にすることができる。
【００５９】
ＭＰＥＧのような動画形式では、情報量を圧縮するため、静止画像と静止画像の間の差分を抽出して符号化して記憶し、再生時はその符号を用いて静止画像間を補完しているが、撮影画像評価処理における各コマ画像に対する評価は、静止画像として最も情報量のある「Ｉピクチャ（Ｉｎｔｒａ−ｃｏｄｅｄ  Ｐｉｃｔｕｒｅ）」で行うことが望ましい。なお、画像ファイルデータ構造はこれに限定されず、例えば評価値ファイル内の情報を、コメント領域に格納するようにしてもよい。
【００６０】
評価値ファイル２１１は、動画撮影したコマ画像毎に優先評価値の順位、総合笑顔評価値、総合端正評価値、被撮影者の人数を対応付けて記憶し、また、そのコマ画像に撮影された人物毎の顔の位置情報、笑顔評価値、端正評価値が併せて記憶されている。そして、図６に示すように、評価値ファイル２１１は、コマ画像データと対応付けて記録メディア２８に記憶される。従って、例えば、この記録メディア２８を外部の出力装置に装着することにより、外部の出力装置にて、優先評価値の順位で印刷することができる。
【００６１】
図７は、図４のステップＳ１８においてモニタ装置８に表示される面像表示画面の一例を示す図である。モニタ装置８には、比較モニタ手段であるモニタ部８ａ１，８ａ２は、再生手段により読み出された複数の静止画像を表示し、モニタ部８ａ１では、４枚の画像１〜４が１枚ずつ順に表示され、モニタ部８ａ２では、他の４枚の画像５〜８が１枚ずつ順に表示される。選択モニタ手段となるモニタ部８ｂが比較モニタ手段となるモニタ部８ａ１，８ａ２の間に配置され、モニタ部８ｂにより選択した静止画像を、選択前のモニタ部８ａ１，８ａ２のほぼ中央の領域に表示する。
【００６２】
この実施の形態では、入力された撮影画像中の複数の画像を表示し、複数の画像の表情を評価する評価手段を備え、この評価手段は制御部１１で構成され、モニタ部８ａ１，８ａ２に複数の画像を表示し、複数の画像の表情を評価する。
【００６３】
モニタ部８ａ１の画面８ａ１１，８ａ１２に、図４のステップＳ１０でカジュアルな場面と判断された場合に表示される一例を示す図である。画面８ａ１１には、コマ画像とともに、当該コマ画像の総合笑顔評価値及び総合端正評価値が、総合笑顔評価値を上にして表示されている。コマ画像と共に、優先評価値である総合笑顔評価値のみを表示するようにしてもよい。操作装置６からの操作により、各被撮影者の評価値の表示が指示されると、画面８ａ１２に示すように、各被撮影者の笑顔評価値及び端正評価値が表示される。各被撮影者の笑顔評価値のみを表示するようにしてもよい。
【００６４】
画面８ａ１３，８ａ１４に、図４のステップＳ１０でフォーマルな場面と判断された場合に表示される一例を示す図である。画面８ａ１３に、コマ画像とともに、当該コマ画像の総合笑顔評価値及び総合端正評価値が、総合端正評価値を上にして表示されている。コマ画像と共に、優先評価値である総合笑顔評価値のみを表示するようにしてもよい。操作装置６からの操作により、各被撮影者の評価値の表示が指示されると、画面８ａ１４に、各被撮影者の笑顔評価値及び端正評価値が表示される。各被撮影者の端正評価値のみを表示するようにしてもよい。  画面８ａ２１，８ａ２２は、図４のステップＳ６で新婦、新郎の画像に重み付け設定を行い、各被撮影者の評価値の表示が指示された際に表示される一例を示す図である。画面８ａ２１においては、新郎、新婦以外の被撮影者の端正評価値は低いが（２０点〜４０点）、新郎及び新婦の端正評価値は高いので（７０点、８０点）、総合端正評価値は７４点と高くなる。逆に、画面８ａ２２に示すように、新郎、新婦以外の被撮影者の端正評価値は高いが（８０点〜９０点）、新郎及び新婦の端正評価値は低いので（４０点、３０点）、総合端正評価値は５０点と低くなる。
【００６５】
この実施の形態では、入力された撮影画像中の複数の画像を表示し、複数の画像の表情の良し悪しを評価することができる。従って、例えばユーザが写真プリントの注文画像を速く選ぶことができ、写真館、イベント会場等のスタジオでの撮影の回転率が向上し、しかもユーザの満足度も向上する。
【００６６】
また、図８は評価を複数の画像から抜き出して並べて表示する実施の形態を示す図である。この実施の形態では、モニタ部８ａ１の画面８ａ１１〜８ａ１４に評価を複数の画像から抜き出して並べて表示し、画像の番号、判定に用いた部位、評価を表示している。画像の番号として、例えば０２５番〜０２８番としており、画像の番号がないとどれか分からなくなる。判定に用いた部位として、例えば目としているが、口等を表示してもよい。評価として、例えば評価ポイントを付けているが、最高ランクに◎、最低ランクに×等でランク付けをしてもよい。評価が数値またはランクであり、画像の表情の良し悪しの評価を間違いなく、簡単かつ確実に行なうことができる。また、評価は、数字だけでなく、ランク別の絵文字や点滅などの警告でユーザの選択を支援するようにしてもよい。
【００６７】
このように、評価を複数の画像から抜き出して並べて表示することで、比較し易いために、複数の画像の表情の良し悪しの評価を迅速に、しかも簡単かつ容易に行なうことができる。さらに、画像の番号、判定に用いた部位、評価の少なくとも１つを表示することで、複数の画像の表情の良し悪しの評価を間違いなく、簡単かつ確実に行なうことができる。
【００６８】
図９は操作装置に備えられる操作画面のタッチパネルを備える実施の形態を示す図である。この実施の形態のタッチパネル６０には、操作指示表示６１が表示され、この操作指示表示６１に従って表示された画像７０の各部位７１〜７５を選択してカーソル７６等でタッチすると、画像の番号、判定に用いた部位、評価を表示する。
【００６９】
例えば、まゆ７２、目７３、口７４等をタッチすると、各画像からまゆ７２、目７３、口７４のみを判別し、クローズアップして採点する。目７３をタッチすると、図８のように表示される。このように、タッチパネル６０により画像の部位を選択して、画像の表情の良し悪しを評価することができる。
【００７０】
また、小道具７１，７５をカーソル７６等でタッチすると、小道具７１、７５の評価が表示される。この小道具７１、７５の評価は、人（肌色）とかぶさっているかいないか、衣装と色相がはなれているかいないか（同じだと埋もれてしまう）等である。小道具７１、７５は、色、形を予め登録することで、衣装や人物や背景からの分離は容易である。
【００７１】
また、この実施の形態では、背景の評価が行なわれる。例えば、背景の３辺７７ａ〜７７ｃに切れ、ランプ７８等の余計な映り込みはないか、また衣装、小道具、人物と色相、輝度が離れていないで、区別が容易でないかいなか等で評価する。この小道具、背景の評価は細かく判別する必要はなく、例えばＡ、Ｂ、Ｃあるいは○、△、×等の３段階のランク付けでもよい。
【００７２】
図１０は評価の高い画像を選択画面に最初に配置する実施の形態を示す図である。この実施の形態では、選択モニタ手段であるモニタ部８ｂと、このモニタ部８ｂの周囲に比較モニタ手段であるモニタ部８ａ１〜８ａ８とを配置し、評価の高い画像をモニタ部８ｂの選択画面に最初に配置する。これはステップＳ１４で合成した最高位の画像でも良い。このように、選択した評価の高い静止画像を、選択前の複数の静止画像のほぼ中央の領域に表示する。
【００７３】
例えば、モニタ部８ａ１〜８ａ８には、画像と評価の総合点が表示され、モニタ部８ａ１の画像の総合点が８８点であり、評価の高い画像をモニタ部８ｂの選択画面に最初に表示する。
【００７４】
画像の総合点は、例えば背景２０％、表情５０％、小道具３０％の重み付けで決めることができる。また、点数表示は、画像の総合点表示に限らず、例えば目、口等の判定に用いた部位別の点数表示、人物の重み付け評価の点数表示等を行なうことができる。
【００７５】
この実施の形態では、評価の高い画像を選択画面に最初に配置することで、例えばユーザが写真プリントの注文画像を選択画面に着目して速く選ぶことができ、写真館、イベント会場等のスタジオでの撮影の回転率が向上し、しかもユーザの満足度も向上する。
【００７６】
また、選択画面の画像の番号、判定に用いた部位、評価の少なくとも１つを表示することで、複数の画像の表情の良し悪しの評価を間違いなく、簡単かつ確実に行なうことができる。補助カメラの画素数が印刷に適するようであれば主カメラは省略できる。又、補助カメラが動画カメラであっても、そのコマの中から印刷に適するコマを選ぶのが容易となる。このようにこのシステムは将来に渡っても有効に使い続けることができる。
【産業上の利用可能性】
【００７７】
この画像評価装置は、写り具合のよい写真の選択を、迅速に、しかも簡単かつ容易に行なうことができ、例えば写真館、イベント会場等のスタジオにおいて写真感光材料を用いて被写体を撮影する際に用いる写真撮影システム等に適用できる。
【図面の簡単な説明】
【００７８】
【図１】画像評価装置を適用した写真撮影システムの概略構成図である。
【図２】モニタ画像表示を示す図である。
【図３】笑顔評価基準テーブル及び端正評価基準テーブル内部のデー夕格納例を示す図である。
【図４】撮影画像評価処理のフローチャートを示す図である。
【図５】評価値ファイルのデータ格納例を示す図である。
【図６】記録メデイアに記憶される画像ファイルのデータ構造の一例を示す図である。
【図７】モニタ装置に表示される面像表示画面の一例を示す図である。
【図８】評価を複数の画像から抜き出して並べて表示する実施の形態を示す図である。
【図９】操作装置に備えられる操作画面のタッチパネルを備える実施の形態を示す図である。
【図１０】評価の高い画像を選択画面に最初に配置する実施の形態を示す図である。
【符号の説明】
【００７９】
１  写真撮影システム
２  主カメラ
３  補助カメラ
４  被写体
５  制御装置
６  操作装置
７，８  モニタ装置
１１  制御部
２９  モニタ駆動部
２６  ＥＥＰＲＯＭ
５２  ディスクドライブ
５３  画面分割部
【図１】
2005056175.tif 000003
【図２】
2005056175.tif 000004
【図３】
2005056175.tif 000005
【図４】
2005056175.tif 000006
【図５】
2005056175.tif 000007
【図６】
2005056175.tif 000008
【図７】
2005056175.tif 000009
【図８】
2005056175.tif 000010
【図９】
2005056175.tif 000011
【図１０】
2005056175.tif 000012